(57)【要約】【課題】可撓を可能に取付けることができる基板装着板、基板装着板が回動される際に捩じれ等の偏荷重が薄肉の可撓部に加わるのを低減できる蝶番、及び回路基板の保守点検時等、基板装着板を取外すことなく、回路基板の電子部品実装側を外部に大きく開放できる表示装置を提供する。【解決手段】二つの板部８１，８２と、各板部８１，８２を一体に連結する薄肉の可撓部８３とを有し、両板部８１，８２の一方に、可撓部８３から該可撓部８３の回動中心に沿って延出された半円柱形をなす軸部８４を一体に設け、該軸部８４が嵌まり込む軸受凹部８５を他方に一体に設けた。【選択図】図５
2008147784.tif 000002
【特許請求の範囲】
【請求項１】
二枚の板部を各板部より薄肉の可撓部で一体に連結し、該可撓部を回動中心として両板部の相対回動を可能とした合成樹脂製の蝶番において、一方は前記可撓部から前記回動中心に沿って延出された軸部を一体に有し、他方は該軸部が嵌まり込む軸受凹部を一体に有することを特徴とする蝶番。
【請求項２】
前記軸部は半円柱形をなし、前記軸受凹部は四半分の円弧をなしている請求項１記載の蝶番。
【請求項３】
前記可撓部は前記回動中心に沿う方向へ離隔する二箇所に有し、各可撓部間に軸部及び軸受凹部を設けてある請求項１又は２記載の蝶番。
【請求項４】
回路基板が装着される装着板部と、該装着板部に前記両板部の一方が取付けられる請求項１乃至３のいずれか一つに記載の蝶番とを備えることを特徴とする基板装着板。
【請求項５】
前側に表示面を有する表示部の後面に、請求項４に記載の基板装着板を備え、該基板装着板に回路基板を装着してあることを特徴とする表示装置。
【請求項６】
前側に表示面を有する表示部の後面に、回路基板が装着されている基板装着板を蝶番により回動を可能に取付けてあることを特徴とする表示装置。
【請求項７】
前記基板装着板は下部が蝶番により取付けられ、上部が小螺子により取付けられている請求項５又は６に記載の表示装置。
【発明の詳細な説明】
【技術分野】
【０００１】
本発明は適宜の物品を回動を可能に取付けるための蝶番、回路基板が装着され、蝶番を備える基板装着板、及び該基板装着板を備える液晶表示装置、プラズマ表示装置等の表示装置に関する。
【背景技術】
【０００２】
映像を表示する表示面を前側に有する液晶テレビ、プラズマテレビ等の薄型の表示装置は例えば特許文献１に開示されている。
【０００３】
図１１は従来の表示装置の構成を示す後側の斜視図、図１２は従来の表示装置の構成を示す横断拡大平面図である。薄型の表示装置は、前側にパネル部１００を有し、後側に該パネル部１００へ光を照射するバックライト部１０１を有する表示部１０２と、該表示部を起立状態で支持するスタンドとを備え、表示部１０２の後面１０２ａに、バックライト部１０１を駆動するインバータ回路基板１０３，１０３と、パネル部１００の駆動及び制御を行う制御回路基板１０４と、パネル部１００に表示する映像を処理させるメイン回路基板１０５及びサブ回路基板１０６と、メイン回路基板１０５及びサブ回路基板１０６に電圧を供給する電源回路基板１０７とが取付けられている。
【０００４】
インバータ回路基板１０３，１０３及び制御回路基板１０４は前記後面１０２ａに小螺子により直接取付けられ、メイン回路基板１０５，サブ回路基板１０６及び電源回路基板１０７は一枚の板体からなる基板装着板１０８に並べて小螺子により取着され、該基板装着板１０８が後面１０２ａに複数の小螺子により取付けられている。
【特許文献１】特開２００５−１９１７８７号公報
【発明の開示】
【発明が解決しようとする課題】
【０００５】
ところで、液晶テレビ等の薄型の表示装置は年々大型になっており、この表示装置の大型化に伴って回路基板、及び該回路基板が装着される基板装着板１０８も大型に形成されている。
【０００６】
ところが、基板装着板１０８は一枚の金属板により形成されているため、小螺子により取付けられる基板装着板１０８の大型化に伴い、保守点検等で小螺子が取外しされると基板装着板１０８が自重で脱落し、基板装着板１０８に取付けられている回路基板が故障し易くなり、また、基板装着板１０８が自重で脱落するのを防ぐには保守点検に複数の作業員が必要であり、改善策が要望されていた。
【０００７】
本発明は斯かる事情に鑑みてなされたものであり、主たる目的は基板装着板を回動可能に取付けることができる合成樹脂製の蝶番を提供することにあり、また、薄肉の可撓部により一体に連結されている二つの板部の一方に、可撓部から該可撓部の回動中心に沿って延出された軸部を一体に設け、該軸部が嵌まり込む軸受凹部を他方に一体に設けることにより、基板装着板が回動される際に捩じれ等の偏荷重が薄肉の可撓部に加わるのを低減できる蝶番を提供することにある。
【０００８】
また、他の目的は軸部を半円柱形とし、軸受凹部を四半分の円弧とすることにより、二つの割型で一体成形することが可能な蝶番を提供することにある。
【０００９】
また、他の目的は回動中心に沿う方向へ離隔する二箇所に可撓部を設け、各可撓部間に軸部及び軸受凹部を設けることにより、基板装着板が回動される際に捩じれ等の偏荷重が可撓部に加わるのをより一層低減できる蝶番を提供することにある。
【００１０】
また、他の目的は回路基板が装着される装着板部に蝶番を取付けることにより、基板装着板を取外すことなく、回路基板の電子部品実装側を外部に大きく開放できる基板装着板を提供することにある。
【００１１】
また、他の目的は前側に表示面を有する表示部の後面に、蝶番により基板装着板を回動可能に取付けることにより、回路基板の保守点検時等、基板装着板を取外すことなく、回路基板の電子部品実装側を外部に大きく開放できる表示装置を提供することにある。
【００１２】
また、他の目的は基板装着板の下部を蝶番で取付け、上部を小螺子で取付けることにより、回路基板の保守点検等で小螺子が取外しされたとき、基板装着板が自重で脱落するのを防ぐことができ、しかも、基板装着板取付用の小螺子の個数を低減できる表示装置を提供することにある。
【課題を解決するための手段】
【００１３】
本発明に係る蝶番は、二枚の板部を各板部より薄肉の可撓部で一体に連結し、該可撓部を回動中心として両板部の相対回動を可能とした合成樹脂製の蝶番において、一方は前記可撓部から前記回動中心に沿って延出された軸部を一体に有し、他方は該軸部が嵌まり込む軸受凹部を一体に有することを特徴とする。
【００１４】
この発明にあっては、薄肉の可撓部に連なる軸部及び軸受凹部と前記可撓部とが回動中心であるため、適宜の物品を回動可能に取付けた構成において、前記物品が回動される際に蝶番に加わる荷重を可撓部と軸部及び軸受凹部とに分散することができる。因って、物品が回動される際に捩じれ等の偏荷重が薄肉の可撓部に加わるのを低減でき、可撓部が破断したり、可撓部にクラックが生じるのを防ぐことができる。また、二つの板部、可撓部、軸部、軸受凹部は合成樹脂により一体に成形されているため、コストを低減できるとともに、取扱いを容易にできる。
【００１５】
また、本発明に係る蝶番は、前記軸部は半円柱形をなし、前記軸受凹部は四半分の円弧をなしていることを特徴とする。
【００１６】
この発明にあっては、軸部及び軸受凹部の係合が離脱し、二つの板部が直線的になっている状態で二つの割型により一体成形することが可能であるため、より一層のコスト低減を図ることができる。
【００１７】
また、本発明に係る蝶番は、前記可撓部は前記回動中心に沿う方向へ離隔する二箇所に有し、各可撓部間に軸部及び軸受凹部を設けてあることを特徴とする。
【００１８】
この発明にあっては、二箇所の可撓部の間に軸部及び軸受凹部を設けてあるため、物品が回動される際に捩じれ等の偏荷重が可撓部に加わるのをより一層低減でき、薄肉の可撓部が破断したり、可撓部にクラックが生じるのをより一層防ぐことができる。
【００１９】
また、本発明に係る基板装着板は、回路基板が装着される装着板部と、該装着板部に前記両板部の一方が取付けられる前述した発明の蝶番とを備えることを特徴とする。
【００２０】
この発明にあっては、基板装着板が合成樹脂製の蝶番を備えるため、基板装着板を回動可能に取付けることができる。因って、基板装着板を取外すことなく、回路基板の電子部品実装側を外部に大きく開放でき、回路基板の保守点検を容易にできる。
【００２１】
また、本発明に係る表示装置は、前側に表示面を有する表示部の後面に、前述した発明の基板装着板を備え、該基板装着板に回路基板を装着してあることを特徴とする。
【００２２】
この発明にあっては、基板装着板が回動を可能に取付けられているため、回路基板の保守点検時等、基板装着板を取外すことなく、該基板装着板を回動操作することにより回路基板の電子部品実装側を外部に大きく開放でき、回路基板の保守点検を容易にできる。
【００２３】
また、本発明に係る表示装置は、前側に表示面を有する表示部の後面に、回路基板が装着されている基板装着板を蝶番により回動を可能に取付けてあることを特徴とする。
【００２４】
この発明にあっては、基板装着板が回動を可能に取付けられているため、回路基板の保守点検時等、基板装着板を取外すことなく、該基板装着板を回動操作することにより回路基板の電子部品実装側を外部に大きく開放でき、回路基板の保守点検を容易にできる。
【００２５】
また、本発明に係る表示装置は、前記基板装着板は下部が蝶番により取付けられ、上部が小螺子により取付けられていることを特徴とする。
【００２６】
この発明にあっては、基板装着板の下部を蝶番で受止め、基板装着板の上側を螺子止めするため、回路基板の保守点検等で小螺子が取外しされたとき、基板装着板が自重で脱落するのを防ぐことができ、また、基板装着板取付用の小螺子の個数を低減でき、表示装置のコスト低減を図ることができる。
【発明の効果】
【００２７】
以上詳述したように本発明によれば、適宜の物品が回動される際に蝶番に加わる荷重を可撓部と軸部及び軸受凹部とに分散することができるため、物品が回動される際に捩じれ等の偏荷重が薄肉の可撓部に加わるのを低減でき、可撓部が破断したり、可撓部にクラックが生じるのを防ぐことができる。しかも、二つの板部、可撓部、軸部、軸受凹部は合成樹脂により一体に成形されているため、コストを低減できるとともに、取扱いを容易にできる。
【００２８】
また、本発明によれば、二つの割型により蝶番を一体成形することが可能であるため、より一層のコスト低減を図ることができる。
【００２９】
また、本発明によれば、二箇所の可撓部の間に軸部及び軸受凹部を有するため、物品が回動される際に捩じれ等の偏荷重が薄肉の可撓部に加わるのをより一層低減でき、可撓部が破断したり、可撓部にクラックが生じるのをより一層防ぐことができる。
【００３０】
また、本発明によれば、基板装着板を回動可能に取付けることができるため、基板装着板を取外すことなく、回路基板の電子部品実装側を外部に大きく開放でき、回路基板の保守点検を容易にできる。
【００３１】
また、本発明によれば、回路基板の保守点検時等、基板装着板を取外すことなく、該基板装着板を回動操作することにより回路基板の電子部品実装側を外部に大きく開放でき、回路基板の保守点検を容易にできる。
【００３２】
また、本発明によれば、回路基板の保守点検等で小螺子が取外しされたとき、基板装着板が自重で脱落するのを防ぐことができ、しかも、基板装着板取付用の小螺子の個数を低減でき、表示装置のコスト低減を図ることができる。
【発明を実施するための最良の形態】
【００３３】
以下本発明をその実施の形態を示す図面に基づいて詳述する。図１は本発明に係る薄型表示装置の構成を示す後側の斜視図、図２は横断拡大平面図、図３は回路基板が装着された基板装着板の構成を示す斜視図である。
【００３４】
図示した薄型の表示装置は、前側にパネル部１１を有し、後側に該パネル部１１へ光を照射するバックライト部１２を有し、略直方体をなす表示部１と、バックライト部１２を駆動するインバータ回路基板２，２と、パネル部１１の駆動及び制御を行う制御回路基板３と、パネル部１１に表示する映像を処理させるメイン回路基板４及びサブ回路基板５と、メイン回路基板４及びサブ回路基板５に電圧を供給する電源回路基板６と、メイン回路基板４，サブ回路基板５及び電源回路基板６が装着される基板装着板７と、該基板装着板７を後面１ａに回動を可能に取付ける二つの蝶番８，８と、表示部１を起立状態で支持するスタンドとを備える液晶テレビである。
【００３５】
インバータ回路基板２，２、制御回路基板３、メイン回路基板４、サブ回路基板５及び電源回路基板６の夫々の一面には複数の電子部品が実装されている。
【００３６】
パネル部１１は、前側に表示面を有し略直方体をなすパネル１１ａ、及び該パネル１１ａの後側に配置された拡散板等の光学シート１１ｂを備える。バックライト部１２は、光学シート１１ｂの後側に上下に並置され、該光学シート１１ｂ側へ光を照射する複数本のランプと、該ランプを収容支持する筺体１２ａとを備える。前記ランプは両端部に電極を有する冷陰極管であり、夫々のランプの両端部の電極にインバータ回路基板２，２が接続され、パルス幅変調信号により明るさが制御されるように構成されている。
【００３７】
筺体１２ａは略直方体をなし、金属板を成形してなる枠部と、該枠部の後側端を閉塞し、金属板を成形してなる蓋板とを有し、該蓋板の後面で、横方向中間の二箇所に補強桟１２ｂ，１２ｂが取付けられており、前記蓋板の後面及び補強桟１２ｂが表示部１の後面１ａになっている。
【００３８】
後面１ａの両側部にはインバータ回路基板２，２が小螺子により取付けられており、後面１ａの下部で横方向中央部には制御回路基板３が小螺子により取付けられている。また、補強桟１２ｂ，１２ｂの後側に、メイン回路基板４，サブ回路基板５及び電源回路基板６が後面１ａと対向するように基板装着板７を配置してある。また、後面１ａの基板装着板７と対向する箇所の下側には第１の螺子孔１ｂを、上側には第２の螺子孔１ｃを夫々設けてある。
【００３９】
基板装着板７は後面１ａと対向し、メイン回路基板４，サブ回路基板５及び電源回路基板６が一面に装着される装着板部７１と、該装着板部７１の周縁から回路基板側（一面側）へ立上る枠部７２と、該枠部７２の複数の周方向位置から外向きに延出された複数の取付部７３とを有する金属板からなり、下側の取付部７３が二つの蝶番８，８により後面１ａに取付けられ、上側の取付部７３が複数の小螺子により後面１ａに取付けられるように構成されている。また、下側の取付部７３には蝶番８に設けられる二つの係止凸部８７，８７に対応する係止孔が設けられており、上側の取付部７３には複数の挿通孔が設けられている。
【００４０】
装着板部７１は直方形をなし、長手方向一側の一面にメイン回路基板４とサブ回路基板５とが長手方向に並べて取付けられ、長手方向他側の一面に電源回路基板６が取付けられている。
【００４１】
基板装着板７の枠部７２は略直方体をなし、該枠部７２で、補強桟１２ｂ，１２ｂと対向する四箇所、詳しくは上片の横方向へ離隔した二箇所及び下片の横方向へ離隔した二箇所に、補強桟１２ｂ，１２ｂに対応する凹部７４、換言すると補強桟１２ｂ，１２ｂの厚さより深い凹部７４が設けられており、取付部７３が後面１ａに取付けられたとき、補強桟１２ｂ，１２ｂと凹部７４の底面との間に若干の隙間が生ずるように構成されている。
【００４２】
基板装着板７が後面１ａに取付けられたとき補強桟１２ｂ，１２ｂと対向するメイン回路基板４及び電源回路基板６の補強桟１２ｂ，１２ｂと対向する箇所は実装厚さが薄くなる電子部品を実装し、後面１ａと対向する箇所は実装厚さが厚くなる電子部品を実装することにより電子部品が補強桟１２ｂ，１２ｂに当接しないようにしてある。
【００４３】
図４は蝶番の構成を示す斜視図、図５は蝶番の構成を示す縦断斜視図、図６は蝶番の第１の板部が回動している状態の縦断斜視図、図７は蝶番が基板装着板を表示部に取付けている状態の縦断面図、図８は蝶番により表示部に取付けられた基板装着板が回動している状態の縦断面図である。
【００４４】
蝶番８は基板装着板７の下側の取付部７３に取付けられる第１の板部８１と、後面１ａの第１の螺子孔１ｂに螺子止めされる第２の板部８２と、第１及び第２の板部８１，８２を相対回動を可能に一体に連結し、各板部８１，８２より薄肉の二つの可撓部８３，８３と、第１の板部８１の可撓部８３，８３から該可撓部８３，８３の回動中心に沿って延出された軸部８４と、第２の板部８２の可撓部８３，８３間から軸部８４と対向する位置へ延出され、軸部８４が嵌まり込む軸受凹部８５と、第１の板部８１の回動を約９０度に規制する二つの規制凸部８６，８６とを有し、合成樹脂材により一体に成形されている。
【００４５】
第１及び第２の板部８１，８２は矩形をなし、一つの長辺の長手方向両側に、第１及び第２の板部８１，８２より薄肉の可撓部８３，８３を一体に設け、各可撓部８３，８３の間に軸部８４及び軸受凹部８５を一体に設けてある。
【００４６】
第１の板部８１は、基板装着板７と対向する一面に、基板装着板７の前記係止孔に対応する二つの係止凸部８７，８７と、下側の取付部７３の縁に当接して基板装着板７の荷重を受止める荷重受部８１ａとを設けてあり、係止凸部８７，８７が前記係止孔に挿嵌されることにより基板装着板７を蝶番８に取付けるように構成されている。また、第１の板部８１の中央側他面には、第１の板部が約９０度回動したとき第２の板部８２に当接する当接部８６ａを有し、軸部８４の両端に連なる二つの規制凸部８６，８６を設けてあり、軸部８４を補強してある。
【００４７】
軸部８４は第１の板部８１が非回動のとき軸受凹部８５と係合せず、第１の板部８１が回動したとき軸受凹部８５と係合する半円柱形をなしている。軸受凹部８５は第１の板部８１側へ延出された四半分の円弧をなしており、蝶番８を二つの割型で一体成形することができるように構成してある。
【００４８】
図９は蝶番が成形される際の説明図である。二つの割型Ａ，Ｂによる蝶番８の成形は、図９に示すように第１及び第２の板部８１，８２が非回動で直線的に配置され、軸部８４の非円弧面が軸受凹部８５と対向する形状となるようにキャビティが形成されている第１及び第２の割型Ａ，Ｂ内に溶融合成樹脂を注入することにより射出成形される。
【００４９】
また、第１の板部８１の長手方向両側他面には摘み８８，８８を突設してあり、第２の板部８２には複数の挿通孔８９を設けてある。
【００５０】
以上のように構成された蝶番８は、第２の板部８２を後面１ａに対向させ、第２の板部８２の挿通孔８９に挿通される小螺子９を後面１ａの第１の螺子孔１ｂに緊締することにより後面１ａの横方向へ離隔した二箇所に取付けられる。この蝶番８の第１の板部８１を約９０度回動させた状態で、基板装着板７の前記係止孔を係止凸部８７，８７に挿嵌係止することにより蝶番８を基板装着板７に取付けることができる。この際、第１の板部８１の荷重受部８１ａに下側の取付部７３の縁が当接する。
【００５１】
このように二つの蝶番８により後面１ａに取付けられた基板装着板７は、蝶番８の可撓部８３を中心として後面１ａ側へ回動させた後、上側の取付部７３に開設されている挿通孔に小螺子を挿通し、後面１ａの第２の螺子孔１ｃに緊締することにより後面１ａに取付けられる。このとき、蝶番８の軸部８４は図７に示すように軸受凹部８５との係合が離脱する。
【００５２】
図１０は基板装着板を回動させた状態の底側斜視図である。回路基板を保守点検する場合、後面１ａの第２の螺子孔１ｃに緊締されている小螺子を取外すことにより基板装着板７が蝶番８を中心として回動可能となり、該基板装着板７を後面１ａと離間する方向へ回動させることができる。この基板装着板７が約９０度回動したとき、規制凸部８６の当接部８６ａが第２の板部８２に当接し、基板装着板７の回動が規制され、この回動した状態を維持することができる。因って、基板装着板７を取外すことなく、回路基板の電子部品実装側を外部に大きく開放でき、回路基板の保守点検を容易にできる。
【００５３】
尚、以上説明した実施の形態では、蝶番８を表示部１の後面１ａに取付け、該蝶番８に基板装着板７を取付けたが、その他、蝶番８は予め基板装着板７に取付けてもよい。また、基板装着板７の蝶番８への取付構造は特に制限されない。
【００５４】
また、以上説明した実施の形態では、装着板部７１と枠部７２及び取付部７３とを有し、該取付部７３が後面１ａに取付けられるように構成された基板装着板７の取付部７３に蝶番８が取付けられる構成、換言すると取付部７３及び枠部７２を介して装着板部７１に蝶番８が取付けられる構成としたが、その他、装着板部７１が後面１ａに取付けられるように構成された基板装着板にあっては、装着板部７１に蝶番８が直接取付けられる構成としてもよい。
【００５５】
また、以上説明した実施の形態では、離隔する二つの可撓部８３，８３間に軸部８４及び軸受凹部８５を有する構成としたが、その他、一つの可撓部８３の一側に軸部８４及び軸受凹部８５を有する構成としてもよい。
【００５６】
また、本発明に係る薄型の表示装置は液晶テレビ等の液晶表示装置である他、プラズマ表示装置、ＥＬディスプレイ等の表示装置であってもよい。
【図面の簡単な説明】
【００５７】
【図１】本発明に係る薄型表示装置の構成を示す後側の斜視図である。
【図２】本発明に係る表示装置の構成を示す横断拡大平面図である。
【図３】回路基板が装着された基板装着板の構成を示す斜視図である。
【図４】本発明に係る蝶番の構成を示す斜視図である。
【図５】本発明に係る蝶番の構成を示す縦断斜視図である。
【図６】本発明に係る蝶番の第１の板部が回動している状態の縦断斜視図である。
【図７】本発明に係る蝶番が基板装着板を表示部に取付けている状態の縦断面図である。
【図８】本発明に係る蝶番により表示部に取付けられた基板装着板が回動している状態の縦断面図である。
【図９】本発明に係る蝶番が成形される際の説明図である。
【図１０】本発明に係る表示装置の基板装着板を回動させた状態の底側斜視図である。
【図１１】従来の表示装置の構成を示す後側の斜視図である。
【図１２】従来の表示装置の構成を示す横断拡大平面図である。
【符号の説明】
【００５８】
１    表示部
１ａ  後面
４    メイン回路基板（回路基板）
５    サブ回路基板（回路基板）
６    電源回路基板（回路基板）
７    基板装着板
７１  装着板部
８    蝶番
８１  第１の板部
８２  第２の板部
８３  可撓部
８４  軸部
８５  軸受凹部
【図１】
2008147784.tif 000003
【図２】
2008147784.tif 000004
【図３】
2008147784.tif 000005
【図４】
2008147784.tif 000006
【図５】
2008147784.tif 000007
【図６】
2008147784.tif 000008
【図７】
2008147784.tif 000009
【図８】
2008147784.tif 000010
【図９】
2008147784.tif 000011
【図１０】
2008147784.tif 000012
【図１１】
2008147784.tif 000013
【図１２】
2008147784.tif 000014